(57)【要約】【課題】無線通信システムで上りリンク伝送電力制御を提供する。【解決手段】無線通信システムでソフトハンドオーバー中に使用者機器の上りリンク伝送を制御する方法は、第１伝送電力レベル及び第１データレートを含む第１伝送モードにおいて、第１ネットワーク及び第２ネットワークと通信する段階を含む。前記方法はまた、前記第１伝送モードから、第２伝送電力レベル及び第２データレートを含む第２伝送モードに変更するために前記第２ネットワークから第１変更命令語を受信する段階を含む。前記方法はまた、第２伝送モードに進入する段階を含む。前記方法はまた、前記使用者機器の伝送電力レベル及びデータレートのうち少なくとも一つを増加させる前記第１ネットワークからの第２変更命令語にかかわらず、既設定された時間の間に前記第２伝送モードを維持する段階を含む。【選択図】図１
2008510354.tif 000002
【特許請求の範囲】
【請求項１】
無線通信システムでソフトハンドオーバー中に使用者機器の上りリンク伝送を制御する方法において、
第１伝送電力レベル及び第１データレートを含む第１伝送モードにおいて、第１ネットワーク及び第２ネットワークと通信する段階と、
前記第１伝送モードから、第２伝送電力レベル及び第２データレートを含む第２伝送モードに変更するために前記第２ネットワークから第１変更命令語を受信する段階と、
第２伝送モードに進入する段階と、
前記使用者機器の伝送電力レベル及びデータレートのうち少なくとも一つを増加させる前記第１ネットワークからの第２変更命令語にかかわらず、既設定された時間の間に、前記第２伝送モードを維持する段階と、
を含む伝送制御方法。
【請求項２】
前記第１ネットワークはサービングネットワークを含み、前記第２ネットワークは非−サービングネットワークを含むことを特徴とする、請求項１に記載の伝送制御方法。
【請求項３】
前記第２伝送電力レベルは、前記第１伝送電力レベルよりも低いことを特徴とする、請求項１に記載の伝送制御方法。
【請求項４】
前記第２データレートは、前記第１データレートよりも低いことを特徴とする、請求項１に記載の伝送制御方法。
【請求項５】
前記第１変更命令語は、前記使用者機器の伝送電力レベル及びデータレートのうち少なくとも一つを減少させることに関連することを特徴とする、請求項１に記載の伝送制御方法。
【請求項６】
前記第１変更命令語は、前記第２ネットワークからのスケジューリング命令語に含まれることを特徴とする、請求項１に記載の伝送制御方法。
【請求項７】
前記第２伝送モードを維持する段階において、
前記第１及び第２ネットワークのいすれか一つから受信した他の変更命令語が、伝送電力レベル及びデータレートのうち少なくとも一つを減少させるためのものである場合、前記使用者機器は、伝送電力レベル及びデータレートのうち少なくとも一つを減少させることを特徴とする、請求項１に記載の伝送制御方法。
【請求項８】
前記既設定された時間は、前記第１ネットワークから受信したものであることを特徴とする、請求項１に記載の伝送制御方法。
【請求項９】
無線通信システムでソフトハンドオーバー中に使用者機器の上りリンク伝送を制御する方法において、
第１伝送電力レベル及び第１データレートを含む第１伝送モードにおいて、第１ネットワーク及び第２ネットワークと通信する段階と、
前記第１伝送モードから、第２伝送電力レベル及び第２データレートを含む第２伝送モードに変更するために前記第２ネットワークから第１変更命令語を受信する段階と、
第２伝送モードに進入する段階と、
前記使用者機器の伝送電力レベル及びデータレートのうち少なくとも一つを増加させる前記第１ネットワークからの第２変更命令語にかかわらず、前記第２ネットワークから維持命令語を受信する間に、前記第２伝送モードを維持する段階と、
を含む伝送制御方法。
【請求項１０】
前記第１ネットワークはサービングネットワークを含み、前記第２ネットワークは非−サービングネットワークを含むことを特徴とする、請求項９に記載の伝送制御方法。
【請求項１１】
前記第２伝送電力レベルは、前記第１伝送電力レベルよりも低いことを特徴とする、請求項９に記載の伝送制御方法。
【請求項１２】
前記第２データレートは、前記第１データレートよりも低いことを特徴とする、請求項９に記載の伝送制御方法。
【請求項１３】
前記第１変更命令語は、前記使用者機器の伝送電力レベル及びデータレートのうち少なくとも一つを減少させることに関連することを特徴とする、請求項９に記載の伝送制御方法。
【請求項１４】
前記第１変更命令語及び前記維持命令語は、前記第２ネットワークからのスケジューリング命令語によって表されることを特徴とする、請求項９に記載の伝送制御方法。
【請求項１５】
前記維持命令語及び前記第１変更命令語は、反対極性を持つように変調されることを特徴とする、請求項１４に記載の伝送制御方法。
【請求項１６】
前記第２伝送モードを維持する段階において、
前記第１ネットワークから伝送電力レベル及びデータレートのうち少なくとも一つを減少させる他の変更命令語を受信する場合、前記使用者機器は、前記伝送電力レベル及びデータレートのうち少なくとも一つを減少させることを特徴とする、請求項９に記載の伝送制御方法。
【請求項１７】
無線通信システムでソフトハンドオーバー中に使用者機器の上りリンク伝送を制御する方法において、
第１伝送電力レベル及び第１データレートを含む第１伝送モードにおいて、第１ネットワーク及び第２ネットワークと通信する段階と、
前記使用者機器が前記第１伝送モードから第２伝送電力レベル及び第２データレートを含む第２伝送モードに変更するように、前記第２ネットワークから第１変更命令語を伝送する段階と、
前記使用者機器の伝送電力レベル及びデータレートのうち少なくとも一つを増加させる前記第１ネットワークからの第２変更命令語にかかわらず、前記使用者機器が前記第２ネットワークから既設定された時間の間に前記第２伝送モードを維持するように維持命令語を伝送する段階と、
を含む、伝送制御方法。
【請求項１８】
前記第１ネットワークはサービングネットワークを含み、前記第２ネットワークは非−サービングネットワークを含むことを特徴とする、請求項１７に記載の伝送制御方法。
【請求項１９】
前記第２伝送電力レベルは、前記第１伝送電力レベルよりも低いことを特徴とする、請求項１７に記載の伝送制御方法。
【請求項２０】
無線通信システムでソフトハンドオーバー中に使用者機器の上りリンク伝送を制御する方法において、
第１伝送電力レベル及び第１データレートを含む第１伝送モードにおいて、第１ネットワーク及び第２ネットワークと通信する段階と、
前記使用者機器が前記第１伝送モードから第２伝送電力レベル及び第２データレートを含む第２伝送モードに変更するように、前記第２ネットワークから第１変更命令語を伝送する段階と、
前記使用者機器の伝送電力レベル及びデータレートのうち少なくとも一つを増加させる前記第１ネットワークからの第２変更命令語にかかわらず、前記使用者機器が前記第２ネットワークから前記第２伝送モードを維持するように維持命令語を伝送する段階と、
を含む、伝送制御方法。
【請求項２１】
前記第１ネットワークはサービングネットワークを含み、前記第２ネットワークは非−サービングネットワークを含むことを特徴とする、請求項２０に記載の伝送制御方法。
【請求項２２】
前記第２伝送電力レベルは、前記第１伝送電力レベルよりも低いことを特徴とする、請求項２０に記載の伝送制御方法。
【請求項２３】
前記第２データレートは、前記第１データレートよりも低いことを特徴とする、請求項２０に記載の伝送制御方法。
【請求項２４】
前記第１変更命令語は、前記使用者機器の伝送電力レベル及びデータレートのうち少なくとも一つを減少させることに関連することを特徴とする、請求項２０に記載の伝送制御方法。
【請求項２５】
前記第１変更命令語及び前記維持命令語は、前記第２ネットワークからのスケジューリング命令語によって表されることを特徴とする、請求項２０に記載の伝送制御方法。
【請求項２６】
前記維持命令語及び前記第１変更命令語は、反対極性を持つように変調されることを特徴とする、請求項２０に記載の伝送制御方法。
【請求項２７】
前記第２伝送モードを維持する段階において、
前記第１ネットワークから伝送電力レベル及びデータレートのうち少なくとも一つを減少させる他の変更命令語を受信する場合、前記使用者機器は、前記伝送電力レベル及びデータレートのうち少なくとも一つを減少させることを特徴とする、請求項２０に記載の伝送制御方法。
【請求項２８】
無線通信システムでソフトハンドオーバー中に上りリンク伝送制御に適合する使用者機器において、
第１伝送電力レベル及び第１データレートを含む第１伝送モードにおいて、第１ネットワーク及び第２ネットワークと通信する手段と、
前記第１伝送モードから、第２伝送電力レベル及び第２データレートを含む第２伝送モードに変更するために前記第２ネットワークから第１変更命令語を受信する手段と、
第２伝送モードに進入する手段と、
前記使用者機器の伝送電力レベル及びデータレートのうち少なくとも一つを増加させる前記第１ネットワークからの第２変更命令語にかかわらず、既設定された時間の間に前記第２伝送モードを維持する手段と、
を備える、使用者機器。
【請求項２９】
前記第１ネットワークはサービングネットワークを含み、前記第２ネットワークは非−サービングネットワークを含むことを特徴とする、請求項２８に記載の使用者機器。
【請求項３０】
前記第２伝送電力レベルは、前記第１伝送電力レベルよりも低いことを特徴とする、請求項２８に記載の使用者機器。
【請求項３１】
無線通信システムでソフトハンドオーバー中に上りリンク伝送制御に適合する使用者機器において、
第１伝送電力レベル及び第１データレートを含む第１伝送モードにおいて、第１ネットワーク及び第２ネットワークと通信する手段と、
前記第１伝送モードから、第２伝送電力レベル及び第２データレートを含む第２伝送モードに変更するために前記第２ネットワークから第１変更命令語を受信する手段と、
第２伝送モードに進入する手段と、
前記使用者機器の伝送電力レベル及びデータレートのうち少なくとも一つを増加させる前記第１ネットワークからの第２変更命令語にかかわらず、前記第２ネットワークから維持命令語が受信される間に前記第２伝送モードを維持する手段と、
を備える、使用者機器。
【請求項３２】
前記第１ネットワークはサービングネットワークを含み、前記第２ネットワークは非−サービングネットワークを含むことを特徴とする、請求項３１に記載の使用者機器。
【請求項３３】
前記第２伝送電力レベルは、前記第１伝送電力レベルよりも低いことを特徴とする、請求項３１に記載の使用者機器。
【請求項３４】
無線通信システムでソフトハンドオーバー中に使用者機器の上りリンク伝送制御に適合するネットワークにおいて、
第１伝送電力レベル及び第１データレートを含む第１伝送モードにおいて、第１ネットワーク及び第２ネットワークと通信する手段と、
前記使用者機器が前記第１伝送モードから第２伝送電力レベル及び第２データレートを含む第２伝送モードに変更するように、前記第２ネットワークから第１変更命令語を伝送する手段と、
前記使用者機器の伝送電力レベル及びデータレートのうち少なくとも一つを増加させる前記第１ネットワークからの第２変更命令語にかかわらず、前記使用者機器が前記第２ネットワークから既設定された時間の間に前記第２伝送モードを維持するように維持命令語を伝送する手段と、
を含む、ネットワーク。
【請求項３５】
前記第１ネットワークはサービングネットワークを含み、前記第２ネットワークは非−サービングネットワークを含むことを特徴とする、請求項３４に記載のネットワーク。
【請求項３６】
前記第２伝送電力レベルは、前記第１伝送電力レベルよりも低いことを特徴とする、請求項３４に記載のネットワーク。
【請求項３７】
無線通信システムでソフトハンドオーバー中に使用者機器の上りリンク伝送制御に適合するネットワークにおいて、
第１伝送電力レベル及び第１データレートを含む第１伝送モードにおいて、第１ネットワーク及び第２ネットワークと通信する手段と、
前記使用者機器が前記第１伝送モードから第２伝送電力レベル及び第２データレートを含む第２伝送モードに変更するように、前記第２ネットワークから第１変更命令語を伝送する手段と、
前記使用者機器の伝送電力レベル及びデータレートのうち少なくとも一つを増加させる前記第１ネットワークからの第２変更命令語にかかわらず、前記使用者機器が前記第２伝送モードを維持するように維持命令語を伝送する手段と、
を備える、ネットワーク。
【請求項３８】
前記第１ネットワークはサービングネットワークを含み、前記第２ネットワークは非−サービングネットワークを含むことを特徴とする、請求項３７に記載のネットワーク。
【請求項３９】
前記第２伝送電力レベルは、前記第１伝送電力レベルより低いことを特徴とする、請求項３７に記載のネットワーク。
【発明の詳細な説明】
【技術分野】
【０００１】
本発明は、無線通信システムに関するもので、具体的には、無線通信システムで上りリンク伝送電力制御に関する。
【背景技術】
【０００２】
Ｎｏｄｅ−Ｂスケジューリングは、ＵＥが上りリンクでパケットを伝送する場合、Ｎｏｄｅ−Ｂによって制御されるセル内に存在するＵＥの上りリンク伝送を制御する過程である。前記Ｎｏｄｅ−Ｂによる制御は実時間で行われる。この制御は、上りリンク資源をより效率的に利用可能にし、セルスループット（ｔｈｒｏｕｇｈｐｕｔ）及び容量を改善する。
【０００３】
従来のＮｏｄｅ−Ｂスケジューリング方法において、Ｎｏｄｅ−Ｂは、各伝送時間間隔（Ｔｒａｎｓｍｉｓｓｉｏｎ  Ｔｉｍｅ  Ｉｎｔｅｒｖａｌ：ＴＴＩ）に使用者機器の上りリンクパケット伝送電力を制限するために命令語を伝送する。これは、ＲＯＴ（Ｒｉｓｅ  Ｏｖｅｒ  Ｔｈｅｒｍａｌ）がセル内で適切な水準に維持されるようにすることができる。
【０００４】
ＵＥは、二つ以上のＮｏｄｅ−Ｂとソフトハンドオーバー中でありうる。これらのＮｏｄｅ−Ｂのいずれか一つは、前記ＵＥの上りリンク伝送電力レベルまたは伝送データレートに関連するスケジューリング命令語を提供できる。スケジューリング命令語を提供するＮｏｄｅ−Ｂは、前記ＵＥのスケジューリングＮｏｄｅ−Ｂと関連する。逆に、前記ＵＥとハンドオーバー時には通信中であるが、前記ＵＥに関連するスケジューリング命令語を提供しないＮｏｄｅ−Ｂは、前記ＵＥの非−スケジューリングＮｏｄｅ−Ｂと関連する。
【０００５】
Ｎｏｄｅ−Ｂとソフトハンドオーバー中であり、スケジューリングＮｏｄｅ−Ｂからスケジューリング命令語を受信するＵＥは、前記Ｎｏｄｅ−ＢのスケジューリングされるＵＥと関連する。逆に、Ｎｏｄｅ−Ｂとソフトハンドオーバー中であり、スケジューリングＮｏｄｅ−Ｂからスケジューリング命令語を受信しないＵＥは、前記Ｎｏｄｅ−Ｂの非−スケジューリングされるＵＥと関連する。
【０００６】
スケジューリングＮｏｄｅ−Ｂは、スケジューリングされるＵＥによって、隣り合う非−スケジューリングＮｏｄｅ−Ｂに引き起こされた干渉を決定できないことがある。したがって、スケジューリングＮｏｄｅ−Ｂは、前記スケジューリングされるＵＥのスケジューリングにおいて、隣り合うセルに対する干渉を考慮できないことがある。このため、Ｎｏｄｅ−Ｂは、過度な干渉がある場合にも、前記Ｎｏｄｅ−ＢのスケジューリングされるＵＥによって引き起こされた干渉を制御できなくなりうる。
【０００７】
前記干渉を制限するための一提案は、Ｎｏｄｅ−Ｂが、下りリンクで前記Ｎｏｄｅ−Ｂの非−スケジューリングされるＵＥに上りリンク伝送電力レベルまたは伝送データレート減少命令語を伝送することを含む。前記減少命令語は、前記上りリンク伝送電力レベルまたは伝送データレートを減少するための‘ダウン（Ｄｏｗｎ）’命令語及び要求される特定動作がないということを指示する‘ノン（Ｎｏｎｅ）’命令語を含む。ＵＥが前記非−スケジューリングＮｏｄｅ−Ｂからダウン命令語を受信する場合、前記ＵＥは、前記スケジューリングＮｏｄｅ−Ｂから受信したスケジューリング命令にかかわらず上りリンク伝送電力レベルまたは伝送データレートを特定レベルに減少する。逆に、ＵＥが、特定動作がないということを指示する‘ノン’命令語を受信する場合、前記ＵＥは、前記スケジューリングＮｏｄｅ−Ｂからの命令語にしたがって伝送電力レベルまたは伝送データレートを増加したり減少する。Ｎｏｄｅ−Ｂが、前記Ｎｏｄｅ−Ｂの非−スケジューリングされるＵＥのそれぞれに‘ダウン／ノン’命令語を伝送しても良く、或いは、前記Ｎｏｄｅ−Ｂの非−スケジューリングされる全てのＵＥに‘ダウン／ノン’命令語を放送しても良い。
【０００８】
図１は、従来のＮｏｄｅ−Ｂスケジューリング方法を示す図である。
【０００９】
図１を参照すると、ＵＥが非−スケジューリングＮｏｄｅ−Ｂから特定動作のないことを指示する‘ノン’命令語を受信する区間に、前記ＵＥは、スケジューリングＮｏｄｅ−Ｂからの命令語にしたがって上りリンク伝送電力レベルまたは伝送データレートを増加したり減少する。前記スケジューリングＮｏｄｅ−Ｂからのスケジューリング命令語にしたがってＵＥが伝送電力レベルまたは伝送データレートを増加させることによって前記非−スケジューリングＮｏｄｅ−Ｂに対する干渉が特定レベルを越える場合には、非−スケジューリングＮｏｄｅ−Ｂは、前記ＵＥに‘ダウン’命令語を伝送する。
【００１０】
前記非−スケジューリングＮｏｄｅ−Ｂから‘ダウン’命令語を受信すると、ＵＥはスケジューリングＮｏｄｅ−Ｂからのスケジューリング命令語にかかわらず伝送電力レベルまたは伝送データレートを特定レベルに減少する。ＵＥの上りリンク伝送電力レベルまたは伝送データレートが、前記スケジューリングされたレート以下に落ちる場合には、スケジューリングＮｏｄｅ−Ｂは、所望のレベルに再び伝送電力レベルまたは伝送データレートを上げるために、ＵＥに対してスケジューリングを試みる。その結果、非−スケジューリングＮｏｄｅ−Ｂへの干渉は増加し、非−スケジューリングＮｏｄｅ−Ｂが‘ダウン’命令語を再伝送するようにする。このような過程を繰返すことから、非−スケジューリングＮｏｄｅ−Ｂに対する干渉は反復的に増加及び減少する（例えば、振動する）。
【００１１】
したがって、前記非−スケジューリングＮｏｄｅ−Ｂに対する干渉が所望のレベルに維持されないと、非−スケジューリングＮｏｄｅ−Ｂが非−スケジューリングＮｏｄｅ−ＢのスケジューリングされるＵＥの適切なスケジューリングを行いにくくなりうる。また、ソフトハンドオーバー中のＵＥによって引き起こされた上りリンクＲＯＴは大きく変わるので、それぞれのスケジューリングＮｏｄｅ−Ｂが適切にＵＥをスケジューリングしにくいという問題もありうる。
【発明の開示】
【発明が解決しようとする課題】
【００１２】
したがって、本発明は従来技術の限界及び欠点による一つ以上の問題点を実質的に解決する上りリンク伝送電力制御に関する。
【００１３】
本発明の一目的は、ＵＥがハンドオーバー遂行中にＮｏｄｅ−Ｂに過度な干渉を引き起こさないように上りリンク伝送電力制御を提供することにある。
【００１４】
本発明の追加的な利点、目的及び特徴は、一部は以下の詳細な説明で説明され、一部は以下説明に基づいて技術分野における通常の知識を持つ者にとっては明白なもので、本発明の実行によって明らかになるであろう。上記発明の目的、他の利点は、添付の図面の他、ここに作成された説明及び請求項によって指摘された構造によって実現され、得られることができる。
【課題を解決するための手段】
【００１５】
以上の目的及び他の長所を得るために、そして発明の目的に応じてここに組み込まれて広く記述される一実施形態として、無線通信システムでソフトハンドオーバー中に使用者機器の上りリンク伝送を制御する方法は、第１伝送電力レベル及び第１データレートを含む第１伝送モードにおいて第１ネットワーク及び第２ネットワークと通信する段階を含む。前記方法はまた、前記第１伝送モードから、第２伝送電力レベル及び第２データレートを含む第２伝送モードに変更するために前記第２ネットワークから第１変更命令語を受信する段階を含む。前記方法はまた、第２伝送モードに進入する段階を含む。前記方法はまた、前記使用者機器の伝送電力レベル及びデータレートのうち少なくとも一つを増加させる前記第１ネットワークからの第２変更命令語にかかわらず、既設定された時間の間に前記第２伝送モードを維持する段階を含む。
【００１６】
前記第１ネットワークは、サービングネットワークを含み、前記第２ネットワークは、非−サービングネットワークを含むことができる。前記第２伝送電力レベルは、前記第２伝送電力レベルより低くなりうる。前記第２データレートは前記第１データレートより低くなりうる。前記第１変更命令語は、前記使用者機器の伝送電力レベル及びデータレートのうち少なくとも一つを減少させることに関連するものでありうる。前記第１変更命令語は、前記第２ネットワークからのスケジューリング命令語に含まれることができる。
【００１７】
前記第２伝送モードを維持する段階において、前記第１及び第２ネットワークのいすれか一つから受信した他の変更命令語が、伝送電力レベル及びデータレートのうち少なくとも一つを減少させるためのものである場合、前記使用者機器は、伝送電力レベル及びデータレートのうち少なくとも一つを減少させることができる。前記既設定された時間は、前記第１ネットワークから受信したものでありある。
【００１８】
他の実施形態として、無線通信システムでソフトハンドオーバー中に使用者機器の上りリンク伝送を制御する方法は、第１伝送電力レベル及び第１データレートを含む第１伝送モードにおいて第１ネットワーク及び第２ネットワークと通信する段階を含む。前記方法はまた、前記第１伝送モードから、第２伝送電力レベル及び第２データレートを含む第２伝送モードに変更するために前記第２ネットワークから第１変更命令語を受信する段階を含む。前記方法はまた、第２伝送モードに進入する段階を含む。前記方法はまた、前記使用者機器の伝送電力レベル及びデータレートのうち少なくとも一つを増加させる前記第１ネットワークからの第２変更命令語にかかわらず、前記第２ネットワークから維持命令語が受信される間に前記第２伝送モードを維持する段階を含む。
【００１９】
前記第１変更命令語及び前記維持命令語は、前記第２ネットワークからのスケジューリング命令語によって表されることができる。前記維持命令語及び前記第１変更命令語は反対極性を持つように変調されることができる。前記第２伝送モードを維持する段階において、前記第１ネットワークから伝送電力レベル及びデータレートのうち少なくとも一つを減少させる他の変更命令語が受信される場合、前記使用者機器は、前記伝送電力レベル及びデータレートのうち少なくとも一つを減少させることができる。
【００２０】
さらに他の実施形態として、無線通信システムでソフトハンドオーバー中に使用者機器の上りリンク伝送を制御する方法は、第１伝送電力レベル及び第１データレートを含む第１伝送モードにおいて第１ネットワーク及び第２ネットワークと通信する段階を含む。前記方法はまた、前記使用者機器が前記第１伝送モードから第２伝送電力レベル及び第２データレートを含む第２伝送モードに変更するように、前記第２ネットワークから第１変更命令語を伝送する段階を含む。前記方法はまた、前記使用者機器の伝送電力レベル及びデータレートのうち少なくとも一つを増加させる前記第１ネットワークからの第２変更命令語にかかわらず、前記使用者機器が、前記第２ネットワークから既設定された時間の間に、前記第２伝送モードを維持するように維持命令語を伝送する段階を含む。
【００２１】
さらに他の実施形態として、無線通信システムでソフトハンドオーバー中に使用者機器の上りリンク伝送を制御する方法は、第１伝送電力レベル及び第１データレートを含む第１伝送モードにおいて第１ネットワーク及び第２ネットワークと通信する段階を含む。前記方法はまた、前記使用者機器が前記第１伝送モードから第２伝送電力レベル及び第２データレートを含む第２伝送モードに変更するように、前記第２ネットワークから第１変更命令語を伝送する段階を含む。前記方法はまた、前記使用者機器の伝送電力レベル及びデータレートのうち少なくとも一つを増加させる前記第１ネットワークからの第２変更命令語にかかわらず、前記使用者機器が前記第２ネットワークからの前記第２伝送モードを維持するように維持命令語を伝送する段階を含む。
【００２２】
本発明の以上の、そして他の目的、特徴、形状及び利点は、添付の図面に基づいて行われる以下の本発明の詳細な説明からより明確になる。以上の一般的な説明及び以下の本発明の詳細な説明はいずれも例示的で且つ説明的なもので、請求範囲によって発明の追加的な説明が提供されることと理解しなければならない。
【発明の効果】
【００２３】
本発明は、広域無線接続システムに適用されることができる。
【発明を実施するための最良の形態】
【００２４】
以下、本発明の好ましい実施形態、添付された図面に表された例について詳細に説明する。図面中、同一の構成要素には可能な限り同一の参照番号を共通使用するものとする。
【００２５】
ＵＥは、二つ以上のＮｏｄｅ−Ｂとソフトハンドオーバー中でありうる。前記Ｎｏｄｅ−Ｂのいずれか一つは、前記ＵＥの上りリンク伝送電力レベルまたは伝送データレートと関連するスケジューリング命令語を提供することができる。スケジューリング命令語を提供するＮｏｄｅ−Ｂは、前記ＵＥのスケジューリングＮｏｄｅ−Ｂと関連する。逆に、前記ＵＥとハンドオーバー時には通信中であるが、前記ＵＥと関連するスケジューリング命令語を提供しないＮｏｄｅ−Ｂは、前記ＵＥの非−スケジューリングＮｏｄｅ−Ｂと関連する。
【００２６】
ここではＮｏｄｅ−Ｂという用語を用いて本発明を説明するが、Ｎｏｄｅ−Ｂは、ＵＥと通信するいずれもの固定された基地局またはネットワークを表すことは自明である。
【００２７】
Ｎｏｄｅ−Ｂとソフトハンドオーバー中であり、スケジューリングＮｏｄｅ−Ｂからスケジューリング命令語を受信するＵＥは、前記Ｎｏｄｅ−ＢのスケジューリングされるＵＥと関連する。逆に、Ｎｏｄｅ−Ｂとソフトハンドオーバー中であり、スケジューリングＮｏｄｅ−Ｂからスケジューリング命令語を受信しないＵＥは、前記Ｎｏｄｅ−Ｂの非−スケジューリングされるＵＥと関連する。
【００２８】
図２は、本発明の一実施形態によって、Ｎｏｄｅ−Ｂスケジューリング方法を示す図である。
【００２９】
図２を参照すると、前記非−スケジューリングＮｏｄｅ−Ｂは、‘ダウン／ノン’命令語を非−スケジューリングされるＵＥに伝送したり放送する。前記非−スケジューリングＮｏｄｅ−Ｂが、伝送電力レベル及び／または伝送データレート‘ダウン’命令語を、非−スケジューリングされるＵＥに発する場合、前記非−スケジューリングされるＵＥは、伝送電力レベル及び／または伝送データレートを特定レベルに減少させ、既設定された時間の間に、伝送電力レベル及び／または伝送データレートを増加させない（例えば、Ｎｋｅｅｐスロットまたは伝送時間間隔（ｔｒａｎｓｍｉｓｓｉｏｎ  ｔｉｍｅ  ｉｎｔｅｒｖａｌ：ＴＴＩ））。前記既設定された時間は、例えば、ネットワークの上位階層から始まることができ、前記ＵＥに伝達されるものでありうる。あるいは、前記既設定された時間は、ＵＥによって知らされたものでありうる。
【００３０】
非−スケジューリングＮｏｄｅ−Ｂから伝送電力レベル及び／または伝送データレート‘ダウン’命令語を受信し、伝送電力レベル及び／または伝送データレートを減少させた後、Ｎｋｅｅｐスロットまたは伝送時間間隔の間に、前記ＵＥは、スケジューリングＮｏｄｅ−Ｂから、前記ＵＥが伝送電力レベル及び／または伝送データレートを増加するようにするスケジューリング命令語を受信する場合にも、伝送電力レベル及び／または伝送データレートを増加させない。しかし、前記ＵＥは、スケジューリングＮｏｄｅ−Ｂからの伝送電力レベル及び／または伝送データレート‘ダウン’命令語に相応する動作を行うことができる。
【００３１】
非−スケジューリングＮｏｄｅ−ＢがＮｋｅｅｐスロットまたは伝送時間間隔の後にＵＥに‘ノン’命令語を発する場合、ＵＥは、スケジューリングＮｏｄｅ−Ｂから受信したスケジューリング命令語にしたがって伝送電力レベル及び／または伝送データレートを増加させたり減少させる。
【００３２】
一つのＵＥに対して多数の非−スケジューリングＮｏｄｅ−Ｂが存在する場合、前記ＵＥは、多数の非−スケジューリングＮｏｄｅ−Ｂのいずれか一つから‘ダウン’命令語を受信して、上述したように動作することができる。例えば、多数の非−スケジューリングＮｏｄｅ−Ｂのいずれか一つから‘ダウン’命令語を受信する場合、前記ＵＥは、伝送電力レベル及び／または伝送データレートを特定レベルに減少させ、前記‘ダウン’命令語受信後にＮｋｅｅｐスロットまたは伝送時間間隔の間に伝送電力レベル及び／または伝送データレートを増加させない。
【００３３】
図３は、本発明の他の実施形態によって、Ｎｏｄｅ−Ｂスケジューリング方法を示す図である。
【００３４】
図３を参照すると、Ｎｏｄｅ−Ｂは、‘ダウン／ノン／キープ（Ｋｅｅｐ）’命令語を非−スケジューリングＵＥに伝送したり放送する。前記‘ダウン’命令語は、「伝送電力レベル及び／または伝送データレート減少」を指示する。前記‘ノン’命令語は、「特定命令語なし」を指示する。前記‘キープ’命令語は、後述のように、前記非−スケジューリングＮｏｄｅ−Ｂから伝送されうる他の命令語である。
【００３５】
非−スケジューリングＮｏｄｅ−Ｂから‘ダウン’命令語を受信すると、ＵＥは、スケジューリングＮｏｄｅ−Ｂから受信したスケジューリング命令語にかかわらず、伝送電力レベル及び／または伝送データレートを特定レベルに減少させる。或いは、前記非−スケジューリングＮｏｄｅ−Ｂから‘ノン’命令語を受信すると、ＵＥは、前記スケジューリングＮｏｄｅ−Ｂから受信したスケジューリング命令語にしたがって伝送電力レベル及び／または伝送データレートを増加させたり減少させる。あるいは、前記前記非−スケジューリングＮｏｄｅ−Ｂから‘キープ’命令語を受信すると、ＵＥは、前記スケジューリングＮｏｄｅ−Ｂから受信したスケジューリング命令語にかかわらず、現在の伝送電力レベル及び／または伝送データレートを維持する。
【００３６】
一つのＵＥに対して多数の非−スケジューリングＮｏｄｅ−Ｂが存在する場合、前記ＵＥは、前記多数の非−スケジューリングＮｏｄｅ−Ｂのいずれか一つから‘ダウン’命令語を受信する場合、多数の他の非−スケジューリングＮｏｄｅ−Ｂから受信した命令語にかかわらず、伝送電力レベル及び／または伝送データレートを減少する。前記ＵＥがいずれの非−スケジューリングＮｏｄｅ−Ｂからも‘ダウン’命令語を受信せず、前記多数の非−スケジューリングＮｏｄｅ−Ｂのいずれか一つから‘キープ’命令語を受信する場合、前記ＵＥは、現在の伝送電力レベル及び／または伝送データレートを維持する。
【００３７】
図４は、本発明の一実施形態によって、Ｎｏｄｅ−Ｂスケジューリング制御命令語を変調する方法を示す図である。
【００３８】
図４を参照すると、‘ダウン’及び‘キープ’命令語は、セル内の干渉が非常に高い場合に非−スケジューリングＮｏｄｅ−Ｂから伝送される。また、‘ノン’命令語が前記非−スケジューリングＮｏｄｅ−Ｂから伝送されることができる。したがって、‘ノン’命令語が伝送されない場合に、‘ダウン／キープ／ノン’命令語を伝送するための変調方法が使用されうる。図４に示すように、例示的な変調方法は、不連続的な伝送（ｄｉｓｃｏｎｔｉｎｕｏｕｓ  ｔｒａｎｓｍｉｓｓｉｏｎ：ＤＴＸ）に相応する。
【００３９】
上述のように、‘ダウン’及び‘キープ’命令語は、反対極性の電力を持つ信号に変調されたのち伝送され、‘ダウン／キープ／ノン’命令語の効果的な伝送が獲得できる。
【００４０】
他の実施形態において、Ｎｏｄｅ−Ｂスケジューリング方法は、受信した命令語を直接行う代わりに、上りリンクで非−スケジューリングＮｏｄｅ−ＢからスケジューリングＮｏｄｅ−Ｂに受信された命令語を伝達する方法を含むことができる。
【００４１】
例えば、前記非−スケジューリングＮｏｄｅ−Ｂは、‘ダウン／ノン’命令語または‘ダウン／キープ／ノン’命令語をＵＥに伝送したり放送できる。しかし、Ｎｏｄｅ−Ｂは、前記非−スケジューリングＮｏｄｅ−Ｂから受信された命令語を直接行わない。その代わりに、前記Ｎｏｄｅ−Ｂは、前記スケジューリングＮｏｄｅ−Ｂに受信された命令語を伝達する。前記スケジューリングＮｏｄｅ−ＢはＵＥから受信した命令語を考慮して、前記ＵＥの上りリンク伝送電力レベル及び／または伝送データレートを維持させるか減少させるかを決定し、前記ＵＥに決定結果を伝送する。
【００４２】
したがって、前記非−スケジューリングＮｏｄｅ−Ｂは、前記ＵＥのバッファ状態または優先順位または前記ＵＥのスケジューリングＮｏｄｅ−Ｂの上りリンク状態がわからず、前記ＵＥに一方的な制限が加えられるのを防ぐことができ、これにより、適切なスケジューリング制御が獲得できる。
【００４３】
一つのＵＥに多数の非−スケジューリングＮｏｄｅ−Ｂが存在する場合、前記ＵＥは、前記多数の非−スケジューリングＮｏｄｅ−Ｂのいずれか一つから受信した‘ダウン’命令語を、スケジューリングＮｏｄｅ−Ｂに伝達できる。或いは、前記ＵＥは、他のいずれかの非−スケジューリングＮｏｄｅ−Ｂから‘ダウン’命令語を受信せず‘キープ’命令語を受信した場合、前記多数の非−スケジューリングＮｏｄｅ−Ｂのいずれか一つから受信した’キープ’命令語を、スケジューリングＮｏｄｅ−Ｂに伝達することができる。
【００４４】
一実施形態として、無線通信システムにおいてソフトハンドオーバー中に使用者機器の上りリンク伝送を制御する方法は、第１伝送電力レベル及び第１データレートを含む第１伝送モードにおいて第１ネットワーク及び第２ネットワークと通信する段階を含む。前記方法はまた、前記第１伝送モードから、第２伝送電力レベル及び第２データレートを含む第２伝送モードに変更するために前記第２ネットワークから第１変更命令語を受信する段階を含む。前記方法はまた、第２伝送モードに進入する段階を含む。前記方法はまた、前記使用者機器の伝送電力レベル及びデータレートのうち少なくとも一つを増加させる前記第１ネットワークからの第２変更命令語にかかわらず、既設定された時間の間に前記第２伝送モードを維持する段階を含む。
【００４５】
前記第１ネットワークは、サービングネットワークを含み、前記第２ネットワークは非−サービングネットワークを含むことができる。前記第２伝送電力レベルは前記第２伝送電力レベルより低くなりうる。前記第２データレートは前記第１データレートより低くなりうる。前記第１変更命令語は、前記使用者機器の伝送電力レベル及びデータレートのうち少なくとも一つを減少させることに関連するものでありうる。前記第１変更命令語は、前記第２ネットワークからのスケジューリング命令語に含まれることができる。
【００４６】
前記第２伝送モードを維持する段階において、前記第１及び第２ネットワークのいすれか一つから受信した他の変更命令語が、伝送電力レベル及びデータレートのうち少なくとも一つを減少させるためのものである場合、前記使用者機器は、伝送電力レベル及びデータレートのうち少なくとも一つを減少させることができる。前記既設定された時間は、前記第１ネットワークから受信したものでありうる。
【００４７】
他の実施形態として、無線通信システムでソフトハンドオーバー中に使用者機器の上りリンク伝送を制御する方法は、第１伝送電力レベル及び第１データレートを含む第１伝送モードにおいて、第１ネットワーク及び第２ネットワークと通信する段階を含む。前記方法はまた、前記第１伝送モードから、第２伝送電力レベル及び第２データレートを含む第２伝送モードに変更するために前記第２ネットワークから第１変更命令語を受信する段階を含む。前記方法はまた、第２伝送モードに進入する段階を含む。前記方法はまた、前記使用者機器の伝送電力レベル及びデータレートのうち少なくとも一つを増加させる前記第１ネットワークからの第２変更命令語にかかわらず、前記第２ネットワークから維持命令語が受信される間に前記第２伝送モードを維持する段階を含む。
【００４８】
前記第１変更命令語及び前記維持命令語は、前記第２ネットワークからのスケジューリング命令語によって表されることができる。前記維持命令語及び前記第１変更命令語は、反対極性を持つように変調されることができる。前記第２伝送モードを維持する段階において、前記第１ネットワークから伝送電力レベル及びデータレートのうち少なくとも一つを減少させる他の変更命令語が受信される場合、前記使用者機器は、前記伝送電力レベル及びデータレートのうち少なくとも一つを減少させることができる。
【００４９】
さらに他の実施形態として、無線通信システムにおいてソフトハンドオーバー中に使用者機器の上りリンク伝送を制御する方法は、第１伝送電力レベル及び第１データレートを含む第１伝送モードにおいて、第１ネットワーク及び第２ネットワークと通信する段階を含む。前記方法はまた、前記使用者機器が前記第１伝送モードから第２伝送電力レベル及び第２データレートを含む第２伝送モードに変更するように、前記第２ネットワークから第１変更命令語を伝送する段階を含む。前記方法はまた、前記使用者機器の伝送電力レベル及びデータレートのうち少なくとも一つを増加させる前記第１ネットワークからの第２変更命令語にかかわらず、前記使用者機器が前記第２ネットワークから既設定された時間の間に前記第２伝送モードを維持するように維持命令語を伝送する段階を含む。
【００５０】
さらに他の実施形態として、無線通信システムでソフトハンドオーバー中に使用者機器の上りリンク伝送を制御する方法は、第１伝送電力レベル及び第１データレートを含む第１伝送モードにおいて、第１ネットワーク及び第２ネットワークと通信する段階を含む。前記方法はまた、前記使用者機器が前記第１伝送モードから第２伝送電力レベル及び第２データレートを含む第２伝送モードに変更するように、前記第２ネットワークから第１変更命令語を伝送する段階を含む。前記方法はまた、前記使用者機器の伝送電力レベル及びデータレートのうち少なくとも一つを増加させる前記第１ネットワークからの第２変更命令語にかかわらず、前記使用者機器が前記第２ネットワークから前記第２伝送モードを維持するように維持命令語を伝送する段階を含む。
【００５１】
以上の実施形態は、ＵＥの伝送電力レベル及び／または伝送データレートの制御に適用されるＮｏｄｅ−Ｂスケジューリングに関連して説明されたが、前記Ｎｏｄｅ−Ｂスケジューリング方法は、ＵＥの最大許容可能な伝送電力レベル、伝送データレート、または伝送電力などを制御するのにも適用可能である。
【００５２】
本発明は、Ｎｏｄｅ−Ｂのスケジューリングを仮定せずにハンドオーバー時にＮｏｄｅ−Ｂと通信中であるＵＥによって、Ｎｏｄｅ−Ｂに引起こされる干渉のより効果的な制御を可能にする上りリンク伝送の制御を提供することができる。
【００５３】
本発明の思想または範囲を逸脱しない限度内で本発明を様々に修正及び変更できることは、当業者にとって明白である。したがって、本発明は、添付する特許請求の範囲及びその均等範囲内で提供される修正及び変更を含むことは無論である。
【図面の簡単な説明】
【００５４】
【図１】従来技術のＮｏｄｅ−Ｂスケジューリング方法を示す図である。
【図２】本発明の一実施形態によって、Ｎｏｄｅ−Ｂスケジューリング方法を示す図である。
【図３】本発明の他の実施形態によって、Ｎｏｄｅ−Ｂスケジューリング方法を示す図である。
【図４】本発明の一実施形態によって、Ｎｏｄｅ−Ｂスケジューリング制御命令語を変調する方法を示す図である。
【図１】
2008510354.tif 000003
【図２】
2008510354.tif 000004
【図３】
2008510354.tif 000005
【図４】
2008510354.tif 000006
【国際調査報告】
2008510354.tif 000007
2008510354.tif 000008